Podtech/llm-jp-corpus-v4-ja_patent huggingface dataset:
(57)【要約】      （修正有）【課題】現在のカレンダーでは１つの国の年中行事しか記載しないが国際ビジネスをしている人には不便である、また相手国の時差などは旅行者にとってはすごく重要なことで、表記できれば便利になる。【解決手段】従来のカレンダーに他の国のカレンダーを取り入れることによって相手国の年中行事を知り、また各国のシンボル的な物や国旗を使用することにより分かり易くする。また時差の記入により相手国の時間が分かるのでビジネス連絡などではとても便利になる。【選択図】図１
2008143156.tif 000002
【特許請求の範囲】
【請求項１】
一国だけの年中行事が表記されている日常的に使われているカレンダー（手帳、壁掛けカレンダー、卓上カレンダーなど）に他の国のものも併記する。
【請求項２】
表示方法については色別又は国旗の記入や、国の代表的な動物などで表す。
【請求項３】
本国の文字、又は相手国の文字混在の表記をし、使う側はそれを見て相手の国ではいつどんな祭りや休みがあるかが分かる。
【請求項４】
特に旅行者と国際ビジネス関係者には必要不可欠なものになる。
【請求項５】
このカレンダーは紙に印刷されるものだけではなくインターネット、携帯電話など他の媒体にも表示ができる。
【請求項６】
立体物の面にそれぞれ国のカレンダーを印刷すればそれが多国カレンダーになる。
【請求項７】
カレンダーには本国を中心に外国の時差も表記する。
【発明の詳細な説明】
【技術分野】
【０００１】本発明は本国だけの年中行事などではなく、少なくとも２カ国以上のカレンダーが１つのカレンダー、又は１つの物体で表現できるカレンダーに関わる。
【背景技術】
【０００２】現在のカレンダーはどこを見ても１カ国の年中行事だけが主流であるが、国際化の時代の流れで関係国の年中行事を記入する発想は、従来の壁を破り斬新なカレンダーを誕生させる。
【発明の開示】
【発明が解決しようとする課題】
【０００３】現在の本国だけのカレンダーに、特に経済往来が頻繁な関係国のカレンダーも同時表記し、国際ビジネスをしている人に便利さを提供する。【０００４】海外旅行者にも便利さを提供する。【０００５】官庁の役人も外国の基本情報を提供する。
【課題を解決するための手段】上記の課題を解決するために本発明は次のように実行する。【０００６】本発明の請求１項は現在使われている本国だけの年中行事などしか表記しないカレンダーを多国の分も表記するする。【０００７】本発明請求項２では、表記する具体的な方法を提供している。色の場合は同じ文字の上中下に平日なら黒で行事や休みなら他の色にする。もちろん国が違う場合は表示色も異なる。【０００８】請求項３では本国と相手国の両国文字の表記は、使う側からもすごく勉強になることに違いない。【０００９】請求項４は具体的に需要があることを提示した。【００１０】このカレンダーは紙だけを媒体にするものではなく立体物や他の物体でもバランスよく配置ができる。例えば立方体だと六面があり、入れ替えが自由の六面に六カ国のカレンダーが表記可能。その他インターネット、コンピューター、インターネット、携帯電話などにも表示できる。【００１１】手帳などもこの様な表記を使い、各国の代表的な動物、植物、国旗などを使い実用に面白さも増える。【００１２】請求項７では時刻を中心にプラスマイナスで他の国の時差を表記して、ビジネスでは相手先は今何時になっているかが分かり易くなる。
【発明の効果】
【００１３】本発明の実現により様々な方がこの便利なカレンダーを使い、ビジネスのトラブルを解消し、旅行者は旅行の込む時期を避けることができる。また、多国への関心や文化も勉強になる。また、時差を入れることにより出勤時間帯も分かる。
【発明の実施形態】
【００１４】図１のように同じ紙面に少なくとも２カ国のカレンダーを表記することが出来る。
【００１５】図２のように立体物での表記も出来る。
【００１６】図３のようにコンピューター、インターネットでの表記も出来る。
【００１７】図４のように携帯電話でも表示も出来る。
【図面の簡単な説明】
【００１８】
【図１】カレンダーの一例
【符号の説明】
【００１９】１．本国日本を０に多国の時差を表示する。
２．国旗で休日を表示する。
【図１】
2008143156.tif 000003
(57)【要約】【課題】お土産品業界においては外国の人が訪れた国のよき思い出になるお土産品は数が少ない。まして訪れた国の文字文化に直結するお土産はほとんどないに等しい。【解決手段】印鑑は世界各国に頻繁に使用されているアイテムである。旅行客個人の名前を本国の文字と訪れた国の文字でレイアウトし、１つの印面を作成する。なお、訪れた国の使われている文字の意味などを紙に印刷をして該はんこと共に販売をする。【選択図】図１
2008143158.tif 000002
【特許請求の範囲】
【請求項１】
名前を複数の国の文字で表現した印面部を有する印鑑
【請求項２】
名前はファ−ストネーム、ミドルネーム、セカンドネーム又はニックネームであることを特徴とした請求項１の印鑑
【請求項３】
複数の国の文字の内、少なくとも１カ国が日本語の漢字であることを特徴とする請求項１又は請求項２の印鑑
【請求項４】
印鑑基材に紙または布を貼った請求項１乃至請求項３の印鑑
【請求項５】
漢字の意味を記載した紙または布を貼った請求項１乃至請求項４の印鑑
【発明の詳細な説明】
【技術分野】
【０００１】この発明は、印鑑に関するものである。
【背景技術】
【０００２】従来、海外からの旅行客に向けての名前の印鑑はあるにはあったが、日本人さえ読めない印鑑独特の書体の文字の印影である為、旅行客が自国へ持ち帰りその文字の意味を知ることは少なかった。【０００３】印鑑を購入しても数年も経てば、その印鑑が何なのか忘れ、愛着の薄いものになってしまっている現状がある。
【発明の開示】
【発明が解決しようとする課題】
【０００４】いまや世界がひとつになって環境問題など解決しなければならない事柄が山積みされている。心をひとつにするには、相手国から見てもなじみの深い文化でなくてはならない。そこでお土産品店は重要な文化のアピールの場所でもある。しかし、お土産品業界においては外国の人にとって、よき思い出になるお土産品は数が少ない。まして訪れた国の文字文化に直結するお土産はほとんどないに等しい。【０００５】そこで、印鑑は世界的に使用されているアイテムであることに目を向け、旅行客個人の名前を本国の文字と訪れた国の文字でレイアウトし、１つの印鑑を作成する。なお、訪れた国の使われている文字の意味などを紙に印刷をして該印鑑の側面に貼付したり、又は別添したりして印鑑と共に販売をする。
【課題を解決するための手段】
【０００６】請求項１記載の発明は、名前を複数の国の文字で表現した印面部を有する印鑑である。【０００７】この発明によれば、印面部は旅行客の姓名が複数の国の文字で表現される。【０００８】この印鑑は見慣れた自分の名前文字に加え、訪れた国の文字でも自分の名前を表現している。その事により、帰国して印鑑を持っているときや、押した印影を他の人が見たとき、必ずやその文字らしきものは何だと質問をされる。「それはね、私の名前を日本の文字を使って表現されたものです。」などと買って帰った人だけでなく、その人の周りの人までをも、日本を身近に感じてもらえるアイテムになる。【０００９】請求項２記載の発明は、名前はファ−ストネーム、ミドルネーム、セカンドネーム又はニックネームであることを特徴とした請求項１の印鑑である。【００１０】この発明によれば、請求項１の印鑑より、親しみやすい印鑑が出来る。【００１１】請求項３記載の発明は、複数の国の文字の内、少なくとも１カ国が日本語の漢字であることを特徴とする請求項１又は請求項２の印鑑である。【００１２】この発明によれば、日本の文字文化を紹介することが出来る。【００１３】請求項４記載の発明は、印鑑基材に紙または布を貼った請求項１乃至請求項３の印鑑である。【００１４】この発明によれば、紙や布に日本らしい柄を入れて、より深く日本の紹介が出来る印鑑になる。【００１５】請求項５記載の発明は、漢字の意味を記載した紙または布を貼った請求項１乃至請求項４の印鑑である。【００１６】この発明によれば、印鑑の一部に漢字の意味を記載したので、いつでも使われている文字の意味を知ることが出来る印鑑になる。
【発明の効果】
【００１７】見慣れた自分の名前文字に加え、訪れた国の文字でも自分の名前を表現している。その事により、自国に帰って印鑑を持っているときや、押した印影を他の人が見たとき、必ずやその文字らしきものは何だと質問をされる。「それはね、私の名前を日本の文字を使って表現されたものです。使われている文字の意味はこういう事らしい・・・又、発音はこうだ」などと買って返った人だけでなく、その人の周りの人までをも、日本を身近に感じてもらえるアイテムになる。
【発明を実施するための最良の形態】
【００１８】以下各図面で具体例を挙げるが本発明はこれらに限定されるものではない。
図１は本発明に係る印鑑の実施形態を示す図であり図１は正面図、図２は平面図であり、図３は底面図である。図１に示すように、実施形態の印鑑は日本らしい彩色図柄を和紙に印刷して側面に貼り付けた印鑑基材２の上端部に印影シ−ル１を貼付し、該印鑑基材２の下端部にスポンジ３を貼り付けて、その下に印面部４を設けている。該印面部４には旅行客の姓名が２カ国の文字で表現されている基本構成を備えている。本実施例においては日本語の漢字とアルファベットを使用しているが、アラビア文字・ハングル文字・中国語の漢字などを用いても良い。本実施例によれば、印面部４の材料はゴムであるが、それに限らず合成樹脂や従来の人造印材、牙印材、つの印材、石印材、木質印材、金属印材等も採用可能である。また印鑑基材２を透明の筒体に変え、その中に地域のキャラクタ−や、建物などのミニチュア成形物を該筒体の中に挿入してもよく、そうすれば頻繁に印鑑を使用しても汚損や破損する不都合がない印鑑が出来る。又、本実施例においては印鑑基材２の周囲に柄付き和紙を貼っているが、和紙に変え、布を貼ってもよい。【００１９】本実施例においては図３に示すように扇形の図の中に文字を入れた構成であるが、他の図との組合せでも良く、又図が無く文字だけの構成でも良い。さらに２カ国の文字だけでなく３カ国語、４ヶ国語、５カ国複数の文字で姓名を表現しても良い。【００２０】本実施例において、名前はファーストネームだけをいれてあるが、フルネームやミドルネームやセカンドネームやニックネームであってもよいのは勿論のことである。
又、本実施例においては日本語の漢字の意味を記載していないが、印鑑基材の側面の和紙部分などに日本語の漢字の意味を記載するともっと深く日本の文化に触れることが出来るので好ましい。
【図面の簡単な説明】
【００２１】
【図１】本発明に係る印鑑の正面図
【図２】本発明に係る印鑑の平面図
【図３】本発明に係る印鑑の底面図
【符号の説明】
【００２２】１・・・・・・印影シ−ル
２・・・・・・印鑑基材
３・・・・・・スポンジ
４・・・・・・印面部
【図１】
2008143158.tif 000003
【図２】
2008143158.tif 000004
【図３】
2008143158.tif 000005
(57)【要約】【課題】  船舶の波による揺れを、船の大小にかかわらず簡単な構造で効果的に抑制出来る装置を提供する事。【解決手段】  本発明は、貫通した筒を船から水中に下側の開口部から水を入れながら垂直に降ろし、該筒の上側部を前記船に固定して一体化させたことで、振り子の様な横揺れとなる横移動には該筒が水を切る抵抗力と該筒の中に留まっている水自体の重量により横移動が抑制され、また、前記筒の上側開口部に開閉自在の蓋を設け該筒を水中に垂直に降ろした後に前記蓋を閉じて密閉出来るようにして前記筒内の水が下部の開口部から流失し難くする事で波による上昇揚力に対しても該筒内の水の重量により抑制され前記船の縦揺れも軽減できる様にしたことと、前記船が発進の際には前記筒を水中から引上げて進行出来るようにしたものである。【選択図】図２
2008143493.tif 000002
【特許請求の範囲】
【請求項１】
停泊時等における船舶の波による揺れを軽減する装置として、貫通した筒を船から水中に沈める様に該筒の下側の開口部から水を入れながら垂直に降ろせるようにすると伴に降ろした該筒の上側部を前記船に固定して一体化させるようにしたことで該船の上下移動の縦揺時には一体となった前記筒の水中部分の中の水が自由に出入りするため抑制しないが前記筒が振り子の様な横揺れとなる横移動の場合には該筒が水を切る抵抗力と該筒の中に留まっている水自体の重量により横移動が抑制されることになり水上の前記船の横揺れも軽減させるようにしたことと該船が発進の際には前記筒を水中から引上げて進行出来るようにしたことを特長とした船舶の減揺装置。
【請求項２】
貫通した筒を船から水中に沈める様に該筒の下側の開口部から水を入れながら垂直に降ろせるようにすると伴に降ろした該筒の上側部を前記船に固定して一体化させた請求項１の前記筒の貫通した上側開口部に開閉自在の蓋を設け該筒を水中に垂直に降ろした後に前記蓋を閉じて密閉出来るようにした事で前記筒内の水が下部の開口部から流失し難くなり波による上昇揚力に対しても該筒内の水の重量により抑制されることで水上での前記船の縦揺れも軽減する事か出来るようにしたことを特長とした船舶の減揺装置。
【発明の詳細な説明】
【発明の詳細な説明】
【技術分野】
【０００１】本発明は、停泊時等における船舶の波による揺れを軽減させるものである。
【背景技術】
【０００２】  従来の船舶の減揺装置では、水中に安定板を設けたり、錘や水を移動させて船舶を水平にバランスを保つ工夫か見受けられる。
【発明が解決しようとする課題】
【０００３】  単純な構造で船舶の大小にかかわらず効果的に波による揺れを軽減出来ようにする事。
【課題を解決するための手段】
【０００４】  本発明は、前記課題を解決するために、次のような手段を採用した。貫通した筒を船から水中に沈める様に該筒の下側の開口部から水を入れながら垂直に降ろせるようにすると伴に降ろした該筒の上側部を前記船に固定して一体化させるようにしたことで該船の上下移動の縦揺時には一体となった前記筒の水中部分の中の水が自由に出入りするため抑制しないが前記筒が振り子の様な横揺れとなる横移動の場合には該筒が水を切る抵抗力と該筒の中に留まっている水自体の重量により横移動が抑制されることになり水上の前記船の横揺れも軽減させるようにしたことと該船が発進の際には前記筒を水中から引上げて進行出来るようにした技術手段を採用した。
次に、貫通した筒を船から水中に沈める様に該筒の下側の開口部から水を入れながら垂直に降ろした前記筒の上側開口部に開閉自在の蓋を設け該筒を水中に垂直に降ろした後に前記蓋を閉じて密閉出来るようにした事で前記筒内の水が下部の開口部から流失し難くなり波による上昇揚力に対しても該筒内の水の重量により抑制されることで水上での前記船の縦揺れも軽減する事か出来るようにした技術手段を採用した。
【発明を実施するための最良の形態】
【０００５】  発明の実施の態様を実施例にもとづき図面を参照して説明する。
図１、図２、は本発明の筒（１）を船（Ａ）の中央部に設けたもので、図１は筒（１）をロープ（７）で船（Ａ）に引上げた実施図で、図２は逆に水中に降ろした実施図であるが筒（１）の中に内側筒（２）が設けてあり図２の様に水中で二段にて長く延ばして降ろすことが出来るため横揺れを更に抑制出来るようにしたものである。
図３、図４、は本発明の筒（１）を船（Ａ）の両横の前後の計４箇所に設けたもので、水中に降ろしている実施図であるが、更に筒（１）の上側開口部に蓋（３）をして筒（１）の上部を密封している為、筒（１）の中の水中部分の水が筒（１）内に留まり、その留まった水の重量により縦揺れも抑制することになり船（Ａ）への荷物の搬入等がスムーズに出来るようにしたものである。
【図面の簡単な説明】
【図１】は、本発明の側面図
【図２】は、本発明の側面図
【図３】は、本発明の側面図
【図４】は、本発明の平面図
【符号の説明】
１…筒
２…内側筒
３…蓋
４…内側筒の下端開口枠部分
６…ポール
７…ロープ
８…滑車
Ａ…船
Ｂ…船室
Ｗ…水面
【図１】
2008143493.tif 000003
【図２】
2008143493.tif 000004
【図３】
2008143493.tif 000005
【図４】
2008143493.tif 000006
(57)【要約】【課題】この発明は、自転車カゴの荷物がバラバラになったり、飛び出したりしない様に、ワンタッチでまとめてとめるクリップを提供する。【解決手段】ハンドル付近から、ハンドル部分取り付け部品（１）で鎖（２）付きクリップ（３）を設けた、自転車カゴ荷物まとめクリップを特徴とする。【選択図】図１
2008143497.tif 000002
【特許請求の範囲】
【請求項１】
自転車カゴに入れる荷物を、ハンドル付近から、ハンドル部分取り付け部品（１）と鎖（２）付きクリップ（３）をつなげたものを設け、ワンタッチで取り外しできるようにした自転車カゴ荷物まとめクリップである。
【発明の詳細な説明】
【技術分野】
【０００１】この発明は、自転車カゴに乗せた、いくつかの荷物をまとめる、自転車カゴ荷物まとめクリップに関するものである。
【背景技術】
【０００２】従来、自転車カゴには、カバンの他にも、スーパーの袋などのナイロン袋や紙袋等が入っている。
特に主婦のカゴは満タンでバラバラである。
【発明の開示】
【発明が解決しようとする課題】
【０００３】これは次のような欠点があった。
（イ）カゴから袋や袋の中から物が飛び出してしまったり、まとまっていないので取り出しにくい。
（ロ）そのまま、カバンをカゴに入れると防犯にもよくない。
本発明は以上のような欠点をなくすためになされたものである。
【課題を解決するための手段】
【０００４】自転車のハンドル付近から鎖状の物を付け、その先にクリップを取り付け、ワンタッチで荷物を取り外しできる様にする。
本発明は、以上の構成からなる、自転車カゴ荷物まとめクリップである。
【発明の効果】
【０００５】したがって、バラバラになった袋をまとめる事によって、取り出しやすく、飛び出しにくくし、カバンをつなげているので安心感もある。
【発明を実施するための最良の形態】
【０００６】以下、本発明を実施するための最良の形態について説明する。
イ）ハンドル取り付け部品（１）に鎖（２）を取り付ける。
ロ）鎖（２）にワンタッチクリップ（３）を取り付ける。
本発明は、以上の構成からなる自転車カゴ荷物まとめクリップである。
これを使用するときは、自転車に固定する、ハンドル部分取り付け部品（１）で取り付け、カゴに入れる荷物をまとめクリップ（３）で取り外しする。
鎖（２）を設ける事により幅広く動かす事ができるのでカゴからはみ出してもとめやすい。
【図面の簡単な説明】
【０００７】
【図１】本発明の斜視図である。
【図２】本発明の使用説明図である。
【符号の説明】
【０００８】１  ハンドル部分取り付け部品
２  鎖
３  ワンタッチクリップ
４  自転車のカゴ
５  荷物
６  ハンドル
【図１】
2008143497.tif 000003
【図２】
2008143497.tif 000004
(57)【要約】【課題】ビール樽からビールを注出するサーバシステムの、小型で低価格な電子制御自動調圧式炭酸ガス圧力調整器の創出。【解決手段】従来の図１に示す電子制御ユニット一体自動調圧式圧力調整器を基本にして、ステッピングモータ軸に直接、又は、該軸にコネクティングシャフトを接続した軸に、調圧ねじ設け、調圧スプリングのスラストをステッピングモータで受ける構造によって、小型化。従来のコネクティングプレート２とコネクティングシャフト３を廃止したことで、コスト削減をした。【選択図】    図４
2008143547.tif 000002
【特許請求の範囲】
【請求項１】
ビール樽からビールを注出するための、炭酸ガスの圧力を、気温、ビール温度、および又は、ビール樽温度によって変化させるために、気温、ビール温度、および又は、ビール樽温度の電気的信号を電子制御ユニットに入力し、電子制御ユニットに設定した制御マップを参照して、電子制御ユニットが圧力調整器のアクチュエータに駆動信号を出力することによって、炭酸ガスの供給圧力を調整する炭酸ガス用圧力調整システムの、炭酸ガス圧力調整器に電子制御ユニットを一体に組付け、圧力調整用アクチュエータを、ステッピングモータとする構成において、ステッピングモータ軸のねじが回転を規制した調圧プレートを移動し、調圧プレートは調圧スプリングの伸縮をすることによって、圧力調整を可能とする自動調圧式炭酸ガス圧力調整器。
【発明の詳細な説明】
【技術分野】
【０００１】
本発明は、ビール樽に炭酸ガス圧力をかけて注出する、ビールサーバシステムの、高圧容器の炭酸ガスを減圧する圧力調整器に関するものである。
【背景技術】
【０００２】
高圧容器の炭酸ガスを圧力調整器で減圧して、ビール樽に供給するビールサーバシステムの、ビール樽にかける炭酸ガス圧力（供給圧力）を、ビールを美味しく注出するために、ビール温度、又は、ビール樽温度に応じて変化させることが有効であることがわかっている。図１に提案した電子制御自動調圧式圧力調整器は構造がやや複雑で、全高が高くなってしまう欠点があった。
【特許文献１】特願２００６−１４６２４６
【特許文献２】特願２００６−１６６９７６
【発明の開示】
【発明が解決しようとする課題】
【０００３】
解決しようとする課題は、ビール樽にかける炭酸ガスの供給圧力を、ビール温度及び又は、ビール樽温度に応じて変化させることを目的に、従来の自動調圧式圧力調整器より小型でコストの安い、自動調圧式炭酸ガス圧力調整器を提供することである。
【課題を解決するための手段】
【０００４】
本発明は、図２における、７の自動調圧式炭酸ガス圧力調整器を指す。図２はビール温度を感知する温度センサ８、ビール樽温度を感知する温度センサ９などの配置図である。図３は、本案の自動調圧式炭酸ガス圧力調整器の断面図であって、おもな圧力調整機能部品（調圧部品）はステッピングモータ２１、調圧ねじ２４付コネクティングシャフト２２、回転規制ローラ２３付調圧プレート２５で構成する、２６はスラスト受けワッシャで５の調圧スプリングのスラストを受ける。
【０００５】
図４は、図３のコネクティングシャフト２２の代わりに２１のステッピングモータシャフトを延長して、２５の調圧プレートを動作するように構成したものである。
【発明の効果】
【０００６】
図１は従来の電子制御自動調圧式圧力調整器である、１はステッピングモータ、２はコネクティングプレート、３はコネクティングシャフト、４は調圧プレートである。本案の図３及び図４は、図１のコネクティングプレート２及びコネクティングシャフト３を廃止したため、部品数の削減と全高の短縮ができ、小型化低コスト化ができる。
【発明を実施するための最良の形態】
【０００７】
高圧のガスを減圧する圧力調整器の供給圧力を自動で変化させる本案構造は、ビールサーバ用としての炭酸ガス圧力調整器に用いることが最良であり、ビアホールや居酒屋など、炭酸ガス高圧容器の交換頻度が多い量販店向けに、小型で扱いやすい電子制御自動調圧式圧力調整器を提供できる。
【実施例】
【０００８】
図３は、本発明の実施例の断面図である。高圧の炭酸ガスは１６のボンベジョイントから入り、１７の１次バルブで中間圧に減圧され、１８の２次バルブで供給圧力に調整される。供給圧力を決めるのが、５の調圧スプリングで、２５の調圧プレートが移動して５の調圧スプリングを伸縮する。２５の調圧プレートを移動させるのが２２のコネクティングシャフトに設けた２４の調圧ねじで、２１のステッピングモータ軸に固定されている。２５の調圧プレートには回り止めローラ２３を設けてあり調圧ねじ２４によって回転することはなく、調圧プレート２５は軸方向へスライドする。即ち、２１のステッピングモータが回転すると、２４の調圧ねじにより２５の調圧プレートを軸方向に作動、５の調圧スプリングを伸縮する。
【０００９】
図４は２１のステッピングモータ軸に直接２４の調圧ねじを設けた案で、図３より更に全高を短縮できる。
【産業上の利用可能性】
【００１０】
以上説明したように、本発明は電子制御自動調圧式炭酸ガス圧力調整器の部品点数を削減し、全高を短縮できるなど、ビールサーバ用炭酸ガス以外の高圧容器への取付けも容易であり、コストの低減も出来ることから電子制御自動調圧式圧力調整器として、炭酸ガス用以外の、たとえば窒素ガスなどの高圧ガスを減圧する圧力調整器として利用が可能である。
【図面の簡単な説明】
【００１１】
【図１】従来の自動調圧式炭酸ガス圧力調整器の説明図である。
【図２】本発明の自動調圧式炭酸ガス圧力調整器のシステムレイアウトの説明図である。
【図３】本発明の自動調圧式炭酸ガス圧力調整器の説明図である。（実施例１）
【図４】本発明の自動調圧式炭酸ガス圧力調整器の説明図である。（実施例２）
【符号の説明】
【００１２】
１    ステッピングモータ
２    コネクティングプレート
３    コネクティングシャフト
４    調圧プレート
５    調圧スプリング
６    電子制御箱
７    自動調圧式圧力調整器
８    ビール温度センサ
９    ビール樽温度センサ
１０    ビール通路
１１    炭酸ガス供給通路
１２    温度センサコード
１３    炭酸ガスボンベ
１４    ビール樽
１５    電源（ACアダプタ）
１６    ボンベ接続口（炭酸ガス入口）
１７    １次バルブアッセンブリ
１８    ２次バルブアッセンブリ
１９    供給口（炭酸ガス出口）
２１    ステッピングモータ
２２    コネクティングシャフト
２３    回転規制ローラ
２４    調圧ねじ
２５    調圧プレート
２６    スラストワッシャ
【図１】
2008143547.tif 000003
【図２】
2008143547.tif 000004
【図３】
2008143547.tif 000005
【図４】
2008143547.tif 000006
(57)【要約】      （修正有）【課題】福神漬けを食卓などに提供するために従来は袋づめにされた物を買ってきて、それを一度別の容器に移さなければならなかった。またそのつど福神漬けを取分けるためのスプーンを用意し後片づけをしなければならなかった。そのような手間の軽減をする。【解決手段】福神漬けをそれぞれ分離可能なプラスチック製容器１に入れ小分けパックとして提供する。【選択図】図１
2008143597.tif 000002
【特許請求の範囲】
【請求項１】
複数の凹型を有したプラスチック製容器（１）に福神漬けを入れ、その上部にプラスチックフィルム（２）を貼付けたもので、折り目（３）によってそれぞれの凹型容器を離脱可能にし、プラスチックフィルム（２）を一部接着しないことでプラスチックフィルムはがし用把手部（４）を設けプラスチックフィルム（２）を福神漬け取り出し時にはがしやすくした物で、おもにカレーなどを食べる時に便利な福神漬けの小分けパック。
【請求項２】
請求項１の福神漬けの小分けパックを箱（５）に入れ、物品の流通性を向上させ広告媒体としての機能をもたせた物。
【発明の詳細な説明】
【技術分野】
【０００１】本発明は、福神漬けなどを入れるパックに関する物であり、パックの形状を小分けにするなどして工夫を加える事によって、おもにカレーなどを食べる時に福神漬けを提供しやすくした物である。
【背景技術】
【０００２】従来から福神漬けは一食分ずつ小分けされた物ではなく、ある程度まとまった量を袋づめにされて売られていた。
【発明が解決しようとする課題】
【０００３】しかし従来のような袋づめにされて売られている福神漬けでは、買ってきた物を一度別の容器に移すなどしなくてはならず、食卓などに提供されるまでに手間がかかった。またそのつど福神漬けを取分けるためのスプーンなどを用意し後片づけをしなければならなかった。本発明はこのような手間を軽減することを課題とし、これを解決することを目的とする。
【課題を解決するための手段】
【０００４】この課題を解決するため本発明は複数の凹型を有したプラスチック製容器（１）に福神漬けを入れ、その上部にプラスチックフィルム（２）を貼付けたもので、折り目（３）によってそれぞれの凹型容器を離脱可能にし、プラスチックフィルム（２）を一部接着しないことでプラスチックフィルムはがし用把手部（４）を設けプラスチックフィルム（２）を福神漬け取り出し時にはがしやすくした物で、これらの構成から買ってきた福神漬けを一度別の容器に移すといったことや福神漬けを取分けるためのスプーンなどを用意し後片づけをするなどといった手間を解消し手軽に食卓などに福神漬けを提供できる。
【発明の効果】
【０００５】本発明により、買ってきた福神漬けを一度別の容器に移すといったことや福神漬けを取分けるためのスプーンなどを用意し後片づけをするなどといった手間を解消し手軽に食卓などに福神漬けを提供できる。
【０００６】また図１で示された物を図３のように箱（５）に入れることにより、物品の流通性を向上させ広告媒体としての機能を付け加えた物である。
【発明を実施するための最良の形態】
【０００７】図１は、複数の凹型を有したプラスチック製容器（１）に福神漬けを入れ、その上部にプラスチックフィルム（２）を貼付けたもので、折り目（３）によってそれぞれの凹型容器を離脱可能にし、プラスチックフィルム（２）を一部接着しないことでプラスチックフィルムはがし用把手部（４）を設けプラスチックフィルム（２）を福神漬け取り出し時にはがしやすくした物でである。【０００８】図３は、図１で示された物を箱に入れた物である。
【産業上の利用可能性】
【０００９】本発明は、工業的に量産することが可能であるため産業上の利用可能性を有す。
【図面の簡単な説明】
【００１０】
【図１】本発明請求項１の斜視図
【図２】本発明請求項１の斜視図で個々の凹型容器を小分け可能であることを表現した物。
【図３】本発明請求項２の斜視図
【符号の説明】
【００１１】（１）凹型プラスチック製容器
（２）プラスチックフィルム
（３）折り目
（４）プラスチックフィルムはがし用把手部
（５）箱
【図１】
2008143597.tif 000003
【図２】
2008143597.tif 000004
【図３】
2008143597.tif 000005
(57)【要約】【課題】  ティシュペーパーの箱の上面部に取り出し口があるため、ティシュペーパーの枚数が減ってくると取り出し口との間にすき間が出来てしまい、ティシュペーパーの残量が分かりにくかったり残量が少なくなってきたり引き出し方になどで、連続して取り出せなくなるという不都合を解決すること。【解決手段】  ティシュペーパー上面内側部３が、次に取り出すティシュペーパーと一緒に箱の底の面まで下がって行けるようにしたことにより、この課題を解決する。【選択図】図２
2008143596.tif 000002
【特許請求の範囲】
【請求項１】
箱のティシュペーパー取り出し面の一部を次に取り出すティシュペーパーと、一緒に下に落ちていくことを特徴とするティシュペーパーの箱。
【発明の詳細な説明】
【技術分野】
【０００１】  本発明は、ティシュペーパーの箱に関するものであり、ティシュペーパーの箱の素材や形状に工夫を加える事によって、ティシュペーパーを最後の一枚まで連続して取り出せるようにしたものである。
【背景技術】
【０００２】  従来から、ちり紙として、箱の中にティシュペーパーを入れて一枚ずつ取り出して使用するティシュペーパーとして利用されている。
【特許文献】  文献を知らない。
【非特許文献】  文献を知らない。
【発明の開示】
【発明が解決しようとする課題】
【０００３】  しかし、従来のような取出し口が箱の上面にあるティシュペーパーの箱では、ティシュペーパーの残量が分かりにくいし、又残量が少なくなってきた場合に、次のティシュペーパーが取り出せなかったり連続して出てこなかったりしてしまい上げ底等にしたりていた、非常面倒であり不便である。
本発明は、このような、ティシュペーパーが箱の中から連続して取り出せなくなるという不都合を解決することを課題とする。
【課題を解決するための手段】
【０００４】  この課題を解決するための請求項１の発明は、ティシュペーパーの箱上面の一部が次に取り出すティシュペーパーと一緒に箱の底の面まで下がって行ける面を設けたことを特徴とする、残量がわかる紙詰り防止ティシュペーパーの箱である。
取り出し口と次に取り出すティシュペーパーの間にすきまが出来ないため、取り出し口の位置で残量が分かり最初から最後の一枚まで連続して取り出せなくなることを防止する。
【発明の効果】
【０００５】  本発明により、ティシュペーパーの残量が分かり残量が少なくなったりした場合でも上げ底等にしたりしなくても次のティシュペーパーが取り出せなくなるという不都合はおきず、ティシュペーパーを最初から最後の一枚まで連続して取り出すことができる。
【発明を実施するための最良の形態】
【０００６】  図２は、ティシュペーパーの箱に上面部の取り出し口を、二重したことを特徴とする、ティシュペーパーの箱の断面図である。同図に示すように、箱の上面部の取り出し口のある面の下にテッシュペーパー取り出し口面部を取り付けて、この面が常に次に取り出すティシュペーパーのすぐ上にあるようにしたため、ティシュペーパーを取り出せなくなる事を防止することができる。
又、この箱は上面部を外れなくして乗せておくだけでも良く、プラスチックや木製等にしてティシュペーパーだけを詰め替えて使用しても良い。
【産業上の利用可能性】
【０００７】  本発明に係るティシュペーパーに箱は、消耗品であり工業的に量産する事が可能であるため、産業上の利用可能性を有する。
【図面の簡単な説明】
【０００８】
【図１】  上面部を二重にしたティシュペーパーの箱の平面図である。
【図２】  上面部を二重にしたティシュペーパーの箱の側面の断面図である。
【符号の説明】
【０００９】  １      上面外側部
２      上面外側部の取り出し口
３      上面内側部
４      上面内側部の取り出し口
【図１】
2008143596.tif 000003
【図２】
2008143596.tif 000004
(57)【要約】【課題】背広等衣類の着用年数を縮めている、背広等衣類の肩から胸のテカリを防止する為シートベルトの摩擦をやわらげ、背広等衣類の着用年数をのばしたい。【解決手段】やわらかい素材で、シートベルトカバーを製作、背広等衣類とシートベルトの接着面の摩擦をやわらげる。【選択図】図３
2008143516.tif 000002
【特許請求の範囲】
【請求項１】
シートベルトと、背広等衣類の摩擦により  背広等衣類側に出来るテカリを少なくす為のやわらかい素材で作るシートベルトカバー。
【発明の詳細な説明】
【技術の分類】
【０００１】衣類管理の為考案した、シ−トベルトカバー。
【発明の開示】
【発明が解決しようとする課題】
【０００２】背広の着用年数が、自動車運転時のシートベルトと背広等衣類の摩擦により肩から胸にかけてテカリが出来、他の部分が、傷んでなくとも、新調しなければならず、テカリ防止し背広の着用年数をのばしたい。【０００３】シ−トベルトにカバー装着した事により、シートベルトの安全性が損なわれないだろうかと、思われる点。
【課題を解決する手段】
【０００４】背広等衣類の、テカリはシートベルトと背広等衣類との摩擦に有り背広等衣類との接着面の摩擦をやわらげる為に、シートベルトに、カバーを装着する。
【０００５】２年間  試作品を使用したが、シートベルトカバー装着時の状態は背広等衣類の上にフリースジャケットや、コート着用状態と同様であり、又シートベルト自体に細工することなく、カバー装着なのでシートベルトに求められる安全性は損なわれないと、判断に至る。警察の安全運転啓発検問、スピード違反検問などの警察官との接触時も特に問題視されなかった。
【発明の効果】
【０００６】２年間、試作品装着により背広等衣類のテカリは発生しなくなり背広等衣類の着用年数は倍増すると思われる。
【発明を実施する為の最良の形態】
【０００７】背広等衣類とシートベルトが接する面、にシートベルトの摩擦をやわらげる素材を挟み込み、安定させるとし、形態はシートベルトのカバーとする
【実施例】
【０００８】素材はフリース、ベルベット、ベロア、コーデロイ等、毛並みの有る素材に着目し、試作品を製造。背広等衣類に接する側の素材はやわらかさと同時に、耐久性が必要、コスト面などからフリース地を選ぶ。【０００９】製造過程、使用上の使い勝手から、形を安定させる為に、不織布を芯とする。【００１０】シートベルトカバー装着時に、カバーが上下に移動可能とし効果が最大限発揮される様にする。【００１１】シートベルトカバーを着脱する時、たとえば汚れを洗濯するとき等、着脱が簡単に出来るようオープンファスナーあるいはマジックテープを活用する。【００１２】寸法は、背広等衣類とシートベルトの接着面を測定し長さ５０ｃｍ前後に決定（図１）幅はシートベルト幅になるべく近い数値が望ましい、なおかつ装着時に上下に移動することが出来る余裕が必要である（図３）
【産業上の利用可能性】
【００１３】自動車に限らず、各種業種の機械オペレーターのシートベルト着用時の作業服テカリ防止、又医療、介護現場で使用されているベルトの硬さ、冷たさをやわらげるなど、多岐に渡り活用の可能性が有る。
【図面の簡単な説明】
【００１４】
【図１】本発明の正面図  縮尺１／５  オープンファスナーを使用した例である
【図２】正面図の両端部分  実寸  フリース先端処理はテープでくるむ。
【図３】本発明の使用状態を示す断面図
【符号の説明】
【００１５】１  フリース地
２  オープンファスナー
３  先端処理テープ
４  不織布芯地
５  フリース地を落ち着かせるミシン目
６  ファスナー、フリース地、芯地を縫い合わすミシン目
７  シートベルト
８  背広等衣類
【図１】
2008143516.tif 000003
【図２】
2008143516.tif 000004
【図３】
2008143516.tif 000005
(57)【要約】      （修正有）【課題】  従来、一般的に車を運転するときは、十時路、Ｔ字路などの狭い見透しの悪い場所では顔を乗り出すなど無理な姿勢で、安全を人間の視覚により、確認していた。【解決手段】車の運転をするに際して、運転席より前側にカメラを装着することにより、車内のモニターで容易に左右確認が出来るようにしたものである。後ろ側も同様に車体のうしろの方に取り付ければ後ろ側の車体の先端側で状況を確認出来、運転者一人で確認できる。【選択図】図１
2008143243.tif 000002
【特許請求の範囲】
【請求項１】
自宅からの出発時、運転時の十字路、丁字路等、の確認を運転席より前側にカメラを装着する事により、車内のモニターで容易に左右確認が出来るようにしたものである。  後ろ側も同様に車体の後ろの方に取付ければ後ろ側の車体の先端側で状況を確認でき  運転者一人で確認できる。
【発明の詳細な説明】
【技術分野】
【０００１】
本発明は車の運転時に自宅からの出発時、十字路、Ｔ字路等は顔を乗り出して安全を  確認してから車を出発していた運転のしずらさをカメラとモニタ−を連結する事に  より、解消したものである。なを、後ろ側も同様のことが言える。  また、固定式、カメラを格納式、回転式にすることにより、用途分けが出来る。
【背景技術】
【０００２】
従来、一般的に車を運転する時は、人間の視覚により、無理な姿勢で安全を確認して  いた。  また運転席に一人、前方、後方確認の為にあと一人、計二人必要だった。
【発明の開示】
【発明が解決しようとする課題】
【０００３】
本発明は車の運転時に十字路、Ｔ字路の左右確認は視界が悪い場合が多い。一般に車  の構造上、運転席より前に突き出てる為に運転時に左右に高い構造物、植物等がある  と確認しずらく、停止線より車の前部が出てしまう。後部も同様のことが言える。  トラック等の営業車は前側はフラットな構造になっているが、荷台側は荷物を積んで  いる為に確認しずらい。バスなども同様のことが言える。現在はバックモ二タ−付き  タイプのものはあるが、駐車時仕様に限定されてるし、タクシ−につけられてるカメ  ラは前方目的の為である。これらの運転のやりずらさを解消する為に本案を考案した。                    
【課題を解決するための手段】
【０００４】
本発明は、レンズ（魚眼レンズ含む）とモニタ−を組み合わせ運転席から前側の左右、後ろ側の左右また前後の確認が容易になる。また、モニタ−に写った車、人、動物等をモニタ−に記憶させ移動量の大きさで距離を測れるようにすれば前左右、後ろ左右、前後の車までの距離がわかる。また、反射音波を出す機構にしても、モニタ−と連動すれば距離が測れる。距離、対象物があるかないか、音声に出せるようにすれば、なをいっそうわかり易くなる。また、運転時からの状況を記憶装置に記憶できるようにすれば、前側の左右、後ろ側の左右の状況も記憶され、どこのル−トを通ったか後で確認可能になる。    又、用途に応じて格納式、回転式等の仕組みにする。
【発明の効果】
【０００５】
このようにすれば、一時停止の十字路やＴ字路の狭い見透視の悪い場所や後方の左右等の状況を運転者が一人でも確認可能になる。運転者が一人でも確認不可能な状態が解消され、ストレスの軽減になる。、、
【図面の簡単な説明】
【０００６】
【図１】全体図
【図２】形状図
【図３】仕様図
【符号の説明】
【０００７】
１  レンズ  ２  モニタ− 
【図１】
2008143243.tif 000003
【図２】
2008143243.tif 000004
【図３】
2008143243.tif 000005
(57)【要約】【課題】衛生害虫、農業害虫、家畜・ペット用害虫、生活害虫等の害虫を駆除もしくは忌避できる、安全な防除剤を提供すること。【解決手段】イソプロパノールを噴霧することにより、安全に害虫を駆除することができる。【選択図】  なし【特許請求の範囲】
【請求項１】
イソプロピルアルコールを主成分とし、害虫を殺虫又は忌避させる防除剤。
【請求項２】
カメムシ、クモ、ゴキブリ、ハエ、ノミ、シラミ、カ、ダニ、アリ、ケムシ、ムカデ、ウンカの中から選ばれる１種以上の害虫であることを特徴とする請求項１記載の防除剤。
【請求項３】
人間、動物、建物、家屋の周囲に存在する、衛生害虫、農業害虫、家畜・ペット用害虫、生活害虫（不快害虫、建築害虫、衣料害虫）に対して、請求項１，２記載の殺虫忌避成分を散布又は塗布することにより、害虫を駆除もしくは忌避させる方法。
【発明の詳細な説明】
【技術分野】
【０００１】
本発明は、イソプロピルアルコールを主成分とする害虫の防除剤及び防除方法に関する。
【背景技術】
【０００２】
殺虫剤の対象害虫は、厚労省主管の衛生害虫、農水省主管の農業害虫、家畜・ペット用害虫の他、生活害虫（不快害虫、建築害虫、衣料害虫）に分けられ、それぞれ薬事法、農薬取締法等の規制の下で、殺虫剤関連の開発は進められている。
【０００３】
病気を媒介して人に疾病をもたらすなど衛生上の損害を与えるハエ・蚊などの害虫が、衛生害虫であるのに対し、主に家屋内に生息あるいは侵入して感覚的な加害を与え、かつ衛生害虫の範疇には含まれない害虫は、不快害虫と称されている。
【０００４】
近年、都市部では下水道の普及等によりハエ、蚊などの発生は減少しているが、逆に宅地開発が田畑地域や山ろく地域にまで広がるにつれ、屋外から屋内に侵入してくるカメムシ類、アリ類、クモ、ヤスデ類、ダンゴムシ、ワラジムシの他、屋内に生息するシバンムシやチャタテムシなどの不快害虫の被害、苦情が増加しているのが現状である。
【０００５】
不快害虫の防除・殺虫に関しては、これまでにピレスロイド系等の防除・殺虫剤が用いられている。
【０００６】
特許文献１には、（４−エトキシフェニル）［３−（３−フェノキシ−４−フルオロフェニル）プロピル］（ジメチル）シラン（以下、「シラフルオフェン」という）とピレスロイド系殺虫剤を含有し、剤型が液剤もしくはエアゾール剤であることを特徴とする家屋用カメムシ防除剤が記載されている。
【０００７】
特許文献２には、５−メトキシ−３−（ｏ−メトキシフェニル）−１，３，４−オキサジアゾール−２（３Ｈ）−オン（以下、「メトキサジアゾン」という）およびチオシアノ酢酸イソボニルを有効成分として含有する殺虫殺ダニ組成物が種々のダニ類、衛生害虫、生活害虫〈不快害虫〉に有効であることが記載されている。
【０００８】
特許文献３には、薬剤の拡散性を向上させることを目的として、メトキサジアゾン並びにメチルジグリコールおよびエタノールを含む殺虫原液に噴射剤を加えることを特徴とする殺虫エアゾール組成物が記載されている。また、同文献には、当該殺虫エアゾール組成物が種々の衛生害虫、衣料害虫、貯穀害虫、不快害虫に対して有効であることが記載されている。
【０００９】
しかしながら、上記各殺虫剤はカメムシ類を初めとする不快害虫の防除・殺虫に必ずしも満足のいく結果を示すものとは言えなかった。
【００１０】
上記に示したように毒性の強い化学薬品（メトキサジアン、ベルメトリン、エトフェンブロックス、プロボクスル、ピレスノイド系殺虫剤等）が駆除剤として使用されているため、不快害虫を防除する効果があっても、それ自身が人体に悪影響を及ぼすことがあるので、あまり好ましくない。例えば、従来からシロアリ駆除剤として広く利用されていた「クロルピリホス」は２００３年７月から建築基準法のもとで全面的に禁止された。そこで、化学薬品による人体への影響が社会問題となっている現状、最近では天然物や毒性の低い成分を主要な組成としたより環境に優しい薬剤が開発されているのである。
【特許文献１】特開平８−５９１４３号公報
【特許文献２】特開平６−１９９６１５号公報
【特許文献３】特開２０００−９５６１７号公報
【発明の開示】
【発明が解決しようとする課題】
【００１１】
本発明の目的は、安全な成分で衛生害虫、農業害虫、家畜・ペット用害虫、生活害虫（不快害虫、建築害虫、衣料害虫）を駆除若しくは忌避する薬剤を提供することにある。
【課題を解決するための手段】
【００１２】
本発明者は、前記目的を達成するために鋭意検討した結果、果物の中に含まれる天然の物質であり、かつ食品添加物として使用を認められているイソプロパノールを用いることにより、農作物を食い荒らすカメムシ等や、家屋等内外を俳諧し不快感を与える不快害虫として知られるカメムシ、クモ、ゴキブリ、ハエ等の害虫を駆除することができることを見出した。
【発明の効果】
【００１３】
食品添加物であるイソプロパノールを主成分とする防除剤を使用することにより、人体や動物、植物に対して安全に、害虫を駆除又は忌避させることができることが可能となった。
【発明を実施するための最良の形態】
【００１４】
本発明は、人体等に対して安全に、害虫を駆除できる安全な殺虫、忌避剤を提供することである。
【００１５】
試験例からわかるように、イソプロパノールを害虫（カメムシ、クモ、ハエ、ゴキブリ、アリに対して噴霧することにより、駆除もしくは忌避させる効果が高いことがわかる。腹部の方に散布する方が効果的で、早く死亡する。散布後、数十秒で死ぬものもいるし、数分後に死ぬものもいる。試験で使用している害虫は、カメムシ、クモ、ゴキブリ、ハエ、コオロギ、バッタ、アリ、カナブンであるが、これに限定されるものではなく、衛生害虫、農業害虫、家畜・ペット用害虫、生活害虫に適用することができる。
【００１６】
防除剤として使用する時のイソプロパノール濃度は、７０ｖ／ｖ％以上で効果を発揮する。７０Ｖ／Ｖ％より濃度が薄いと効果がでにくい。好ましくは９０Ｖ／Ｖ％以上である。７０Ｖ／Ｖ％以上で忌避効果が発生し、９０Ｖ／Ｖ％以上であれば駆虫効果が発揮してくる。
【００１７】
害虫に対してイソプロパノールを接触させることにより、害虫を防除することができるため、散布もしくは塗布することで処理が可能となる。アルコール臭を嫌う人には、香料を添加した製剤で販売することもできる。忌避させる目的として使用する時には、あらかじめ網戸や農作物を覆っているネット等に被覆処理しておくことも可能であるし、イソプロパノールを揮発するような装置と組み合わせて使用することもできる。噴霧する手段としては各種販売されている一般的な装置や器具を用いて使用することができる。
【００１８】
（試験例１）
表１に示しているように、各濃度のイソプロパノール液を調整し、１試験区にカメムシ１０匹を使用した。散布後のカメムシに対する忌避もしくは駆虫効果を調査した。結果も表１に示す。
【００１９】
【表１】
2008143851.tif 000002
【００２０】
（試験例１）
表２に示す害虫に対する、イソプロパノール（９９．５Ｖ／Ｖ％）の効果を調査した。
【００２１】
【表２】
2008143851.tif 000003
【産業上の利用可能性】
【００２２】
本発明の方法により、安全に衛生害虫、農業害虫、家畜・ペット用害虫、生活害虫を駆除することができる。
(57)【要約】【目的】  眼鏡フレームに取り付けた飾り部品を可動させることにより、眼鏡フレームのイメージを変化させ実用性を高め、その場に応じた雰囲気，例えば仕事中やプライベートでの変化させることにより，全体のイメージを演出することができる眼鏡フレームを提供すること。【課題】  眼鏡フレームに取り付けた飾り部品を誰もが簡単に可動させ、眼鏡フレーム全体のイメージを変化させることができる眼鏡提供。【解決手段】  バネ性素材のヨロイに凹部分をつけ、飾り部品に凸部分を作り飾り部品を回転させ凹凸部分をかみ合わせることにより解決した。【選択図】  図1
2008209532.tif 000002
【特許請求の範囲】
【請求項１】
眼鏡のヨロイやテンプルに、バネ性素材やバネを使い飾り部品を
可動させることを特徴とする眼鏡フレーム。
【請求項２】
眼鏡のヨロイやテンプルの飾り部品の接する面に凸凹をつけ、飾り
部品にも同様の凸凹をつける事により、飾り部品を一定角度でフレームに固定
させることを特徴とした眼鏡」フレーム。
【発明の詳細な説明】
【技術分野】
【０００１】
本発明は、日常使用している眼鏡枠に取り付けられた飾り部品を可動
させ外から見える面を変化させる飾り可動式眼鏡に関するものである。
【背景技術】
【０００２】
従来の飾りを装着した眼鏡フレームは、飾りを固定しフレームと一体化
したり飾りそのものを着脱する方法が考えられてきた。
【０００３】
そのため、飾り部品を変化させるには他に同様の部品を作る必要があ
った。
【０００４】
また、ネジや接着で飾り部品を取り付けた場合は可動しないという欠点
があった。
【特許文献１】特願平3-333711
【特許文献２】実願2005-2669
【発明の開示】
【発明が解決しようとする課題】
【０００５】
解決しようとする課題は、一つの飾り部品を多面体で作りそのそれぞれ
の面にいろいろな色や宝石や七宝等で変化をつけ、外見がいろいろな面に変わ
ることによりフレーム全体のイメージを変化させることを課題とした。
【課題を解決するための手段】
【０００６】
本発明が、上記課題を解決するために採用した手段を添付図面を参照
して説明すれば次のとおりである。
【０００７】
すなわち本発明は、図1で示すようにバネ性素材のヨロイ１の片面に凹
部分を作り多面体の飾り２の片面に凸部分を作る。ヨロイ部分の上下に穴を開け
飾り部分にピンを立て、はめ込みバネ性素材のヨロイの狭み込む力によりヨロイ
と飾り部品を固定させた。
【０００８】
飾り部品を回転させることにより、それぞれの面が外側に表れヨロイの
凹部分と飾り部品の凸部分がかみ合うことにより面の位置がしっかり固定される。
【発明の効果】
【０００９】
本発明は、誰もが簡単に飾り部品を可動させることによりフレーム全体
の外観に変化を与えることができる。
【実施例】
【００１０】
図1において、ヨロイ１の上３下４に穴をあけ凹５をつけておく。飾り部品
２の中心にピン６．７をつけ凸８をつける。ヨロイ１を開き穴３、４にピン６、７をはめ
込む。この際ヨロイ１のすき間の幅１０を飾り部品の厚み９より狭くしておく。凹と凸
のかみ合う位置を一定に設定することにより外観１１，１２が固定される。飾り部品２を
回転させることにより、さまざまな面が表に現れる。
【図面の簡単な説明】
【００１１】
【図１】は、眼鏡フレームに取り付けた飾り部品を可動させることにより、眼鏡フレームのイメージを変化させ実用性を高め、その場に応じた雰囲気，例えば仕事中やプライベートでの変化させることにより，全体のイメージを演出することができる眼鏡フレームをしめしている。
【符号の説明】
【００１２】
１バネ性素材のヨロイ  ２飾り部品  ３ヨロイの穴上  ４ヨロイの穴下
５ヨロイの凹部分  ６ピン上  ７ピン下  ８飾り部品の凸部分  ９飾り部品の厚さ
１０ヨロイの幅  １１飾り部品の外観  １２飾り部品の外観
【図１】
2008209532.tif 000003